(57)【要約】【課題】既存の柱の形状によって設置の制限がされることがないうえに、ブレースからの力を適切な位置に作用させることが容易にできる建物の補強構造を提供する。【解決手段】間隔を置いて対向された柱２，２と柱上端間に架け渡される上梁３と床部１１とによって囲まれた正面視略長方形の開口１２を有する建物１の補強構造である。  そして、開口において、柱のそれぞれに対して非接合状態で隣接して配置されるとともに、上梁と床部との間に介在させる一対の補助柱部４，４と、補助柱部のそれぞれの上端部から延伸されて、上面６ａが接着剤によって上梁の下面３ａに接合される上板部６と、補助柱部のそれぞれの下端部から延伸されて、下面７ａが接着剤によって床部の上面１１ａに接合される下板部７と、補助柱部の上端部と上板部との隅角部に端部が連結されるブレース部５とを備えている。【選択図】図１
2020066847.tif 000002
【特許請求の範囲】
【請求項１】
間隔を置いて対向された柱と柱上端間に架け渡される上梁と基面部とによって囲まれた正面視略長方形の開口を有する建物の補強構造であって、
前記開口において、
前記柱のそれぞれに対して非接合状態で隣接して配置されるとともに、前記上梁と前記基面部との間に介在させる一対の補助柱部と、
前記補助柱部のそれぞれの上端部から延伸されて、上面が接着剤によって前記上梁の下面に接合される上延伸部と、
前記補助柱部のそれぞれの下端部から延伸されて、下面が接着剤によって前記基面部の上面に接合される下延伸部と、
少なくとも前記補助柱部の上端部と前記上延伸部との隅角部に端部が連結されるブレース部とを備えたことを特徴とする建物の補強構造。
【請求項２】
前記上延伸部及び下延伸部の少なくとも一方は、前記補助柱部間に連続して設けられていることを特徴とする請求項１に記載の建物の補強構造。
【請求項３】
前記上延伸部は、前記補助柱部間に架け渡される梁部であることを特徴とする請求項１に記載の建物の補強構造。
【請求項４】
前記ブレース部の端部は、前記隅角部に取り付けられたガセットプレートにボルト接合されることを特徴とする請求項１乃至３のいずれか１項に記載の建物の補強構造。
【請求項５】
前記上梁の両端にせん断補強部を設けることを特徴とする請求項１乃至４のいずれか１項に記載の建物の補強構造。
【請求項６】
前記一対の補助柱部、上延伸部、下延伸部及びブレース部は、複数のユニット又は部材で構成されていて、それぞれの前記ユニット又は部材間はボルト接合されることを特徴とする請求項１乃至５のいずれか１項に記載の建物の補強構造。
【発明の詳細な説明】
【技術分野】
【０００１】
本発明は、間隔を置いて対向された柱と柱上端間に架け渡される上梁と基面部とによって囲まれた正面視略長方形の開口を有する建物の補強構造に関するものである。
【背景技術】
【０００２】
工場等の鉄骨造建物を鉄骨ブレースで耐震補強する場合、ガセットプレートを既存柱と梁材に現場溶接する方法が一般に採用されるが、工場では溶接作業で発生する火を嫌う場合が多いため、養生が大掛かりとなる。
【０００３】
また、近年、溶接工などの熟練工不足が社会問題となっている。さらに、耐震補強が必要となる古い建物の構造部材は、Ｈ形鋼のような充腹形ばかりではなく、山形鋼と平鋼などにより組み立てられる非充腹形の場合が多く、ガセットプレートを溶接するときに、既存の構造部材を部分的に取り替えなければならないことがある。
【０００４】
一方において、溶接作業を必要としない耐震補強方法として、特許文献１に開示されているように、補強部材となるブレースの端部を連結するガセットプレートを、接着剤によって柱材又は梁材の表面に接着させる補強方法が知られている。
【先行技術文献】
【特許文献】
【０００５】
【特許文献１】特開２０１３−１７７７９７号公報
【発明の概要】
【発明が解決しようとする課題】
【０００６】
しかしながら、特許文献１に開示された骨組構造の補強方法では、ブレース接続用のガセットプレートの貼り付け面が平坦な箇所に限定されるため、上述した非充腹形の柱材や梁材に適用する場合は、リベットやボルトの頭部による段差を埋めるための不陸調整材等が必要となり、設計や施工が煩雑となる。
【０００７】
また、ブレースを柱材に取り付ける場合は、柱・梁接合部の図心から偏心した位置にブレースの力が作用することになるため、付加曲げモーメントが発生し、補強を増やさなければならなくなる場合がある。
【０００８】
そこで、本発明は、既存の柱の形状によって設置の制限がされることがないうえに、ブレースからの力を適切な位置に作用させることが容易にできる建物の補強構造を提供することを目的としている。
【課題を解決するための手段】
【０００９】
前記目的を達成するために、本発明の建物の補強構造は、間隔を置いて対向された柱と柱上端間に架け渡される上梁と基面部とによって囲まれた正面視略長方形の開口を有する建物の補強構造であって、前記開口において、前記柱のそれぞれに対して非接合状態で隣接して配置されるとともに、前記上梁と前記基面部との間に介在させる一対の補助柱部と、前記補助柱部のそれぞれの上端部から延伸されて、上面が接着剤によって前記上梁の下面に接合される上延伸部と、前記補助柱部のそれぞれの下端部から延伸されて、下面が接着剤によって前記基面部の上面に接合される下延伸部と、少なくとも前記補助柱部の上端部と前記上延伸部との隅角部に端部が連結されるブレース部とを備えたことを特徴とする。
【００１０】
ここで、前記上延伸部及び下延伸部の少なくとも一方は、前記補助柱部間に連続して設けられている構成とすることができる。また、前記上延伸部は、前記補助柱部間に架け渡される梁部であってもよい。
【００１１】
さらに、前記ブレース部の端部は、前記隅角部に取り付けられたガセットプレートにボルト接合される構成とすることができる。また、前記上梁の両端にせん断補強部を設けることができる。
【００１２】
そして、前記一対の補助柱部、上延伸部、下延伸部及びブレース部は、複数のユニット又は部材で構成されていて、それぞれの前記ユニット又は部材間はボルト接合される構成とすることができる。
【発明の効果】
【００１３】
このように構成された本発明の建物の補強構造では、建物の開口において、柱に対して非接合状態で隣接して補助柱部を配置するとともに、その補助柱部から延伸される上延伸部と下延伸部とを、それぞれ接着剤によって建物の上梁と基面部とに接合させる。
【００１４】
このように柱に対して非接合状態で隣接させる補助柱部であれば、既存の柱の形状によって設置の制限がされることがないうえに、ブレースからの力を適切な位置に作用させる構造にすることが容易にできる。また、接着剤によって接合させるため、火気を伴う溶接作業を行う必要がない。
【００１５】
さらに、上延伸部又は下延伸部が、補助柱部間に連続して設けられる場合は、補助柱部間の間隔を一定に保つことが容易にできる。さらに、上延伸部が補助柱部間に架け渡される梁部であれば、門形の剛性の高いブレース架構とすることができる。
【００１６】
また、ブレース部の端部を隅角部に取り付けられたガセットプレートにボルト接合する構成であれば、既存の建物の開口にその場で容易に取り付けることができる。さらに、既存の上梁に対しても、両端にせん断補強部を設けることで、必要とされる補強を施すことができる。
【００１７】
そして、一対の補助柱部、上延伸部、下延伸部及びブレース部によって構成されるブレース架構を複数のユニット又は部材で形成して、それぞれのユニット又は部材間をボルト接合させる構成にできる。このようにすることで、溶接作業は別の場所で製作時に行っておき、既存の建物内の現場においては、ボルト締結作業によって、火気を伴わずに補強構造を設けることができる。
【図面の簡単な説明】
【００１８】
【図１】本発明の実施の形態の建物の補強構造の構成を示した説明図である。
【図２】既存の建物の柱の構成を例示した説明図である。
【図３】図１のＡ−Ａ矢視方向で見た断面図である。
【図４】実施例１の建物の補強構造の構成を示した説明図である。
【図５】図４のＢ−Ｂ矢視方向で見た断面図である。
【図６】実施例２の建物の補強構造の構成を示した説明図である。
【図７】図６のＣ−Ｃ矢視方向で見た断面図である。
【図８】実施例３で行った解析について説明する図で、（ａ）は既存の構造部材のモデル化を説明する図、（ｂ）は補強後のモデル化を説明する図、（ｃ）は解析結果を示した図である。
【発明を実施するための形態】
【００１９】
以下、本発明の実施の形態について図面を参照して説明する。図１は、本実施の形態の建物の補強構造の構成を説明するための正面図である。また、図２は、既存の建物１の柱２の構成を例示した説明図である。
【００２０】
まず、本実施の形態の建物の補強構造が設けられる既存の建物１の構成について説明する。工場などの鉄骨造の建物１では、基面部となる床部１１の上に、間隔を置いて柱２，２が設けられる。この床部１１は、例えば鉄筋コンクリート造のスラブである。
【００２１】
さらに、この柱２，２の柱上端間には、上梁３が架け渡される。このような構成の建物１には、間隔を置いて対向された柱２，２と、柱上端間に架け渡される上梁３と、床部１１の上面１１ａとによって囲まれた長方形の開口１２が形成される。
【００２２】
図２には、既存の建物１に使用されていることがある非充腹形の柱２の構成を例示した。非充腹形の柱２は、山形鋼と平鋼などにより組み立てられる。例えば、平面視長方形状の断面の隅角部の位置に、それぞれ対となる山形鋼を主材部２１，２１として配置し、隅角部間に平鋼などをラチス部２２として斜めに架け渡す。
【００２３】
ラチス部２２の端部は、主材部２１，２１によって挟持されるなどしてリベット２３で接合される。このように構成された柱２の側面は、リベット２３の頭部が突出していたり、山形鋼の一辺が張り出していたりして、平面にはなっていない。
【００２４】
上梁３も同様に、山形鋼と平鋼などにより組み立てられる。例えば、図５に示すように、トラスの上弦材と下弦材となる位置に、それぞれ対となる山形鋼を主材部３１，３１として配置し、上弦材と下弦材との間に平鋼などをラチス部３２として斜めに架け渡す。そして、ラチス部３２の端部は、主材部３１，３１によって挟持されてリベット３３で接合される。
【００２５】
このような建物１を耐震補強する場合、一般的には、開口１２に補強部材を配置することで変形しにくい構造にし、耐震性能を高めることになる。この補強部材には、ブレースなどが使用されるが、既存の柱や梁にブレースを取り付けるためには、既存の構造部材に穴をあけたり、ガセットプレートを溶接接合させたりしなければならいことがある。
【００２６】
これに対して、既存の構造部材に穴をあければ、断面欠損により既存の構造部材の性能が低下することになる。また、穴あけ作業は、熟練工などによって高い施工精度で行わなければ、ボルト接合でブレースを取り付けることができなくなる。さらに、引火しやすい物を保管している場合や火気を敬遠している建物内では、ガセットプレートを溶接作業で取り付けることができないこともある。
【００２７】
そこで、本実施の形態の建物の補強構造は、既存の構造部材を断面欠損により性能低下させたり、火気を伴う作業を行ったりする必要のない構成としている。また、側面が平面となっていない柱２に隣接して設けることができる構成となる。
【００２８】
本実施の形態の建物の補強構造は、既存の建物１の正面視略長方形の開口１２に設けられる。そして、開口１２の上辺となる上梁３と下辺となる床部１１との間に介在させる一対の補助柱部４，４と、補助柱部４のそれぞれの上端部から延伸される上延伸部としての上板部６と、補助柱部４のそれぞれの下端部から延伸される下延伸部としての下板部７と、ブレース部５とによって主に構成される。
【００２９】
補助柱部４は、図３に示すように、柱２に対して非接合状態で隣接して配置される。本実施の形態では、柱２の最も外側に位置する側端面２ａから距離ｄだけ離隔した位置に、補助柱部４が配置される。この補助柱部４には、Ｈ形鋼などの鋼材やアルミ材やステンレス材などが使用できる。例えば補助柱部４は、平行なフランジ４ａ，４ａと、それらの間を繋ぐウェブ４ｂとによって、平面視略Ｈ字形に形成される。
【００３０】
また、補助柱部４は、図１に示すように、柱上部４１と柱中間部４２と柱下部４３との３つのユニットに分割された構成とすることができる。柱上部４１と柱中間部４２、及び柱中間部４２と柱下部４３は、それぞれ鋼板とボルトとナットで構成されるボルト接合部４４によって連結させることができる。
【００３１】
上板部６は、補助柱部４の上端部から延伸される帯板状の部材で、平鋼やアルミ板やステンレス板などによって形成することができる。ここでは、上板部６の端部を、補助柱部４の上端面と上梁３の下面３ａとの間に介在させている。なお、これに限定されるものではなく、上板部６の側端面を補助柱部４の側面に当接させる構成であってもよい。
【００３２】
上板部６の上面６ａは、エポキシ樹脂系などの接着剤によって上梁３の下面３ａに接合される。上板部６の長さは、この接着剤による接合によって得られる強度が、補助柱部４の上端部の移動（滑り変位）を抑えることができる大きさになるように設定されていればよい。要するに、耐震補強として期待されるブレース耐力に見合う接着面積が、上板部６によって確保できるようになっていればよい。また、既存の上梁３が鋼製で、上板部６がそれとは異なる金属の例えばアルミ板であったとしても、接着剤が異種金属間を絶縁するため、電食が起きることはない。
【００３３】
一方、下板部７は、補助柱部４の下端部から延伸される帯板状の部材で、平鋼やアルミ板やステンレス板などによって形成することができる。ここでは、下板部７の端部を、補助柱部４の下端面と床部１１の上面１１ａとの間に介在させている。なお、これに限定されるものではなく、下板部７の側端面を補助柱部４の側面に当接させる構成であってもよい。
【００３４】
下板部７の下面７ａは、上述の接着剤によって床部１１の上面１１ａに接合される。下板部７の長さは、この接着剤による接合によって得られる強度が、補助柱部４の下端部の移動（滑り変位）を抑えることができる大きさになるように設定されていればよい。また、下板部７を床部１１に確実に固定するために、あと施工アンカーを併用することもできる。
【００３５】
そして、補助柱部４の上端部が設けられる柱上部４１と上板部６との直交する隅角部には、ブレース部５の端部が連結される。ブレース部５は、開口１２に対角線状に配置される斜材５１と、ガセットプレート５２と、そのガセットプレート５２に斜材５１の端部を接合させるためのボルト接合部５３とによって主に構成される。斜材５１は、鋼材やアルミ材やステンレス材などで形成される。
【００３６】
ガセットプレート５２は、鋼板やアルミ板やステンレス板などで形成され、柱上部４１と上板部６との隅角部に取り付けられる。このガセットプレート５２の接合は、予め別の場所で製作するのであれば、溶接接合とすることができる。すなわち、ガセットプレート５２の上縁を上板部６の下面に溶接接合するとともに、ガセットプレート５２の側縁を補助柱部４の側面に溶接接合する。
【００３７】
開口１２に対角線状に配置されるブレース部５の他方の端部は、補助柱部４の下端部が設けられる柱下部４３と下板部７とが直交する隅角部に連結される。この隅角部においては、ガセットプレート５２の下縁を下板部７の上面に溶接接合するとともに、ガセットプレート５２の側縁を補助柱部４の側面に溶接接合する。
【００３８】
次に、本実施の形態の建物の補強構造の構築方法について説明する。ここで、既設の建物１は、工場などとして長年使用されており、耐震補強として開口１２が補強される場合を例に説明する。
【００３９】
まず、火気が使用できる場所（加工工場）で、溶接作業によって補強構造を構成するユニット及び部材の製作を予め行う。詳細には、柱上部４１の上端面には、上板部６の端部を載せて溶接接合する。また、その柱上部４１の側面と上板部６の下面とによって形成される直角の隅角部には、ガセットプレート５２を溶接作業によって取り付ける。
【００４０】
また、下板部７の端部には、柱下部４３の下端面を載せて溶接接合する。さらに、その柱下部４３の側面と下板部７の上面とによって形成される直角の隅角部には、ガセットプレート５２を溶接作業によって取り付ける。
【００４１】
また、柱上部４１の下端、柱中間部４２の両端及び柱下部４３の上端には、ボルト接合部４４用のボルト穴を穿孔しておく。さらに斜材５１の両端にも、ボルト接合部５３用のボルト穴を穿孔しておく。そして、ガセットプレート５２にも、ボルト接合部５３用のボルト穴を穿孔しておく。
【００４２】
これらの加工後のユニット及び部材は、既存の建物１の開口１２まで搬送される。そして、柱上部４１、柱中間部４２及び柱下部４３を仮組して一本の補助柱部４にする。この補助柱部４は、柱２の側端面２ａから距離ｄだけ開口１２の内側に離れた位置に立設される。
【００４３】
この際、柱上部４１及び上板部６を接合させる箇所の位置決めをして、上梁３の下面３ａに目印を付けることができる。同様に、柱下部４３及び下板部７を接合させる箇所の位置決めをして、床部１１の上面１１ａに目印を付けることができる。
【００４４】
そして、作業性によっては、一旦、補助柱部４を柱上部４１、柱中間部４２及び柱下部４３に解体する。続いて、上板部６及び上梁３の下面３ａに接着剤を塗布して、ガセットプレート５２が取り付けられた柱上部４１及び上板部６を、上梁３の下面３ａに接合させる。
【００４５】
また、この接合作業と前後又は同時に、下板部７及び床部１１の上面１１ａに接着剤を塗布して、ガセットプレート５２が取り付けられた柱下部４３及び下板部７を、床部１１の上面１１ａに接合させる。
【００４６】
そして、補助柱部４が解体されていた場合は、接着剤が完全に硬化する前に、柱上部４１に対して柱中間部４２の上端をボルト接合部４４によって連結し、柱中間部４２の下端をボルト接合部４４によって柱下部４３に連結する。
【００４７】
そして、所定の接合強度が発現されるまで養生して、接着剤を硬化させる。この補助柱部４の設置作業は、開口１２の両側の柱２，２に対して行われる。続いて、開口１２の内側の左右上下に配置されたガセットプレート５２，・・・に対して、２本の斜材５１，５１をＸ字状に配置する。
【００４８】
斜材５１の端部は、ボルト接合部５３によってガセットプレート５２に接合させる。このように既存の建物１内では、接着剤とボルトによる接合作業が行われ、溶接作業は行われない。
【００４９】
次に、本実施の形態の建物の補強構造の作用について説明する。
このように構成された本実施の形態の建物の補強構造では、建物１の開口１２において、柱２に対して非接合状態で隣接して補助柱部４を配置するとともに、その補助柱部４から延伸される上板部６と下板部７とを、それぞれ接着剤によって建物１の上梁３と床部１１とに接合させる。
【００５０】
このように柱２に対して非接合状態で隣接させる補助柱部４であれば、既存の柱２の形状によって設置の制限がされることがない。要するに、図２に示すように、柱２の側面に凹凸などの不陸がある場合には、補助柱部４の側面を密着させることができない。これに対して、隙間（距離ｄ）を開けて補助柱部４を設置する場合は、柱２の形状がどのような状態でも、その形状に影響を受けることなく補助柱部４を設置することができる。
【００５１】
また、既存の柱２や上梁３などの構造部材を、加工したり取り替えたりする必要もない。特に、既存の構造部材の取り外しがないことで、一時的に建物１の耐震性能が低下するのを防ぐことができる。
【００５２】
さらに、ブレース部５の端部を取り付ける位置についても制限を受けないので、補助柱部４と上板部６の隅角部の図心及び補助柱部４と下板部７の隅角部の図心と略一致する方向に向けて、ブレース部５を取り付けることができる。すなわち、付加曲げモーメントが発生することのない位置に調整してブレース部５を取り付けることが、容易にできる。
【００５３】
また、上梁３の下面３ａや床部１１の上面１１ａに接着剤によって接合する作業は、溶接作業のように火気を伴う作業にならないので、火を嫌う建物１の内部においても、安全に実施することができる。また、接着剤による接合作業やボルト接合作業は、熟練を要しないため、品質確保も容易にできる。
【００５４】
さらに、ブレース部５の端部を隅角部に取り付けられたガセットプレート５２にボルト接合部５３によって接合させるのであれば、既存の建物１の開口１２において、その場で容易に取り付けることができる。すなわち、既存の建物１の柱２や上梁３などに穴をあけるような手間のかかる作業を行わなくても、ブレース部５を取り付けることができる。
【００５５】
そして、一対の補助柱部４，４、上板部６，６、下板部７，７及びブレース部５，５によって構成されるブレース架構を複数のユニット又は部材で形成して、それぞれのユニット又は部材間をボルト接合部４４，５３によって連結させることができる。このような構成であれば、溶接作業は建物１外の別の場所で製作時に行っておき、既存の建物１内の現場においては、接着剤による接合作業やボルト締結作業によって、火気を伴わずに補強構造を設けることができる。
【実施例１】
【００５６】
以下、前記実施の形態で説明した建物の補強構造とは別の形態の実施例１について、図４，５を参照しながら説明する。なお、前記実施の形態で説明した内容と同一乃至均等な部分の説明については、同一用語又は同一符号を用いて説明する。
【００５７】
本実施例１で説明する建物の補強構造は、上延伸部及び下延伸部の構成が、前記実施の形態で説明した上板部６及び下板部７と異なっている。すなわち、実施例１では、図４に示すように、上延伸部となる梁部８と下延伸部となる長板部９とが、補助柱部４，４間に連続して設けられる。
【００５８】
詳細には、補助柱部４，４間に架け渡される梁部８が、補助柱部４のそれぞれの上端部から延伸された部材となる。この梁部８は、図５に示すように、上下に平行に配置される上フランジ８１及び下フランジ８３と、それらの間を繋ぐウェブ８２とによって、断面視略Ｈ字形に形成される。そして、梁部８の上面８ａが、接着剤８４によって上梁３の下面３ａに接合される。
【００５９】
図４に示すように、梁部８の側端面は、補助柱部４の側面に当接されて、溶接などによって接合される。なお、これに限定されるものではなく、梁部８の端部を補助柱部４の上端面と上梁３の下面３ａとの間に介在させる構成とすることもできる。
【００６０】
そして、補助柱部４の上端部が設けられる柱上部４１と梁部８との直交する隅角部には、梁部８の下面と補助柱部４の側面に対して、ガセットプレート５２Ａが溶接接合される。本実施例１の構成では、既存の建物１に搬送される際には、梁部８の両端に柱上部４１，４１及びガセットプレート５２Ａ，５２Ａが取り付けられたユニットとなっている。
【００６１】
一方、補助柱部４，４間に差し渡される長板部９が、補助柱部４のそれぞれの下端部から延伸された部材となる。この長板部９は、平鋼などによって形成される。そして、長板部９の下面９ａが、接着剤によって床部１１の上面１１ａに接合される。
【００６２】
このように構成された実施例１の建物の補強構造では、梁部８及び長板部９が、補助柱部４，４間に連続して設けられるため、補助柱部４，４間の間隔を設計通りに一定に保つことが容易にできる。
【００６３】
さらに、上延伸部が補助柱部４，４間に架け渡される梁部８という構造部材となっていれば、両側の補助柱部４，４と梁部８とによって門形の剛性の高いブレース架構とすることができる。
なお、実施例１のこの他の構成及び作用効果については、前記実施の形態又は他の実施例と略同様であるため説明を省略する。
【実施例２】
【００６４】
以下、前記実施の形態及び実施例１で説明した建物の補強構造とは別の形態の実施例２について、図６，７を参照しながら説明する。なお、前記実施の形態又は実施例１で説明した内容と同一乃至均等な部分の説明については、同一用語又は同一符号を用いて説明する。
【００６５】
本実施例２で説明する建物の補強構造は、開口１２内に設けられる構造は、上記した実施例１の補助柱部４，４、梁部８、長板部９及びブレース部５，５によって構成されるブレース架構と同じである。
【００６６】
本実施例２では、既存の建物１の上梁３の両端を、せん断補強部３５，３５によって補強する。このせん断補強部３５は、補助柱部４の直上付近に設けられる。すなわち、補助柱部４を新たに配置したことによって上梁３に作用するせん断力に対して、耐えられる構造とするために既存の上梁３を補強する。
【００６７】
このせん断補強部３５は、図７に示すように、上梁３の上下の主材部３１，３１間の開放側を塞ぐように設けられる。詳細には、上弦材となる主材部３１の下面に接着剤３５４によって山形鋼などの取付材３５２の上面を接合するとともに、下弦材となる主材部３１の上面にも接着剤３５４によって山形鋼などの取付材３５２の下面を接合する。
【００６８】
取付材３５２，３５２は、上弦材側から垂下及び下弦材側から起立する鉛直面が形成されるように取り付けられ、上下の取付材３５２，３５２間を鋼板などの面板部３５１で覆う。この面板部３５１は、ボルト部３５３によって取付材３５２に接合される。
【００６９】
このように構成された実施例２の建物の補強構造では、既存の上梁３に対しても、溶接作業を行うことなく補強を行うことができる。そして、上梁３の両端にせん断補強部３５，３５を設けることで、梁端部のせん断強度が不足するような既存の建物１に対しても、ブレース架構による耐震補強を行うことができるようになる。
なお、実施例２のこの他の構成及び作用効果については、前記実施の形態又は他の実施例と略同様であるため説明を省略する。
【実施例３】
【００７０】
以下、前記実施の形態及び実施例１，２で説明した建物の補強構造の効果を裏付けるために行った解析について、図８を参照しながら説明する。なお、前記実施の形態又は実施例１，２で説明した内容と同一乃至均等な部分の説明については、同一用語又は同一符号を用いて説明する。
【００７１】
本実施例３では、一般に用いられる部材を線材に置換したフレーム解析モデルによって解析を行った。図８（ａ）は、上述したような既存の建物１の柱２や上梁３を、柱モデルＭ２や上梁モデルＭ３とした既存フレームＭ１の構成を示している。ここで、上梁モデルＭ３は、柱モデルＭ２から張り出された張出部Ｍ３１の端部が、単純支持される構造となっている。
【００７２】
また、図８（ｂ）には、既存フレームＭ１の開口Ｍ１２を補強した補強フレームＭ１００の構成を示している。開口Ｍ１２には、上述したような補助柱部４に相当する補助柱モデルＭ４と梁部８に相当する梁モデルＭ８とが配置される。また、ブレース部５は、片方だけブレースモデルＭ５として配置される。さらに、補助柱部４，４の下端部間に差し渡される下延伸部が、下延伸モデルＭ９として配置される。
【００７３】
解析にあたっては、ブレースモデルＭ５や梁モデルＭ８の剛性は、実際の接着剤の剛性に合わせて設定した。また、接着部分を含めたモデル化した各線材は、鋼材や接着剤の降伏を考慮した非線形モデルとした。そして、荷重Ｐは、柱モデルＭ２，Ｍ２と上梁モデルＭ３との交点（隅角部）に、それぞれＰ／２の水平荷重を作用させた。
【００７４】
図８（ｃ）は、横軸を層間変位とし、縦軸を層せん断力として、フレーム解析結果を比較した図である。この図から明らかなように、既存フレームＭ１と比べて補強フレームＭ１００は、初期剛性だけでなく最終的な構造耐力が大幅に向上していることが分かる。
なお、実施例３のこの他の構成及び作用効果については、前記実施の形態又は他の実施例と略同様であるため説明を省略する。
【００７５】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００７６】
例えば、前記実施の形態及び実施例では、基面部が床部１１となる場合を例に説明したが、これに限定されるものではなく、床梁などの下梁が基面部となってもよい。また、前記実施の形態及び実施例では、鉄骨造の建物１について説明したが、これに限定されるものではなく、鉄筋コンクリート造や鉄骨鉄筋コンクリート造の建物の開口にも、本発明を適用することができる。
【００７７】
さらに、前記実施の形態及び実施例では、正面視Ｘ字状に配置されるブレース部５，５を例に説明したが、これに限定されるものではなく、正面視Ｋ字状、正面視Ｖ字状又は正面視片対角線状に配置されるブレース部であってもよい。
【００７８】
また、前記実施の形態及び実施例では、柱２の側端面２ａから離隔した位置に補助柱部４を配置した場合について説明したが、これに限定されるものではなく、柱２と補助柱部４とを接合させないのであれば、両者は接触していてもよい。
【符号の説明】
【００７９】
１      ：建物
１１    ：床部（基面部）
１１ａ  ：上面
１２    ：開口
２      ：柱
３      ：上梁
３ａ    ：下面
４      ：補助柱部
４４    ：ボルト接合部
５      ：ブレース部
５２    ：ガセットプレート
５３    ：ボルト接合部
６      ：上板部（上延伸部）
６ａ    ：上面
７      ：下板部（下延伸部）
７ａ    ：下面
８      ：梁部（上延伸部）
８ａ    ：上面
８４    ：接着剤
５２Ａ  ：ガセットプレート
９      ：長板部（下延伸部）
９ａ    ：下面
３５    ：せん断補強部
【図１】
2020066847.tif 000003
【図２】
2020066847.tif 000004
【図３】
2020066847.tif 000005
【図４】
2020066847.tif 000006
【図５】
2020066847.tif 000007
【図６】
2020066847.tif 000008
【図７】
2020066847.tif 000009
【図８】
2020066847.tif 000010